(57)【要約】【課題】使用者に応じて自動的に最適な音声の補正を行う。【解決手段】音声処理装置は、撮影部５０によって撮影された人物の画像に基づいて該人物の年齢、又は、年齢及び性別に関する属性を推定する属性推定部１０と、属性推定部１０によって推定された属性に応じた聴覚補償処理を音声信号に施す音声補正部２０と、を備える。【選択図】図１
2010239542.tif 000002
【特許請求の範囲】
【請求項１】
撮影手段によって撮影された人物の画像に基づいて該人物の年齢、又は、年齢及び性別に関する属性を推定する属性推定手段と、
前記属性推定手段によって推定された属性に応じた聴覚補償処理を音声信号に施す音声補正手段と、
を備えることを特徴とする音声処理装置。
【請求項２】
前記聴覚補償処理は、前記属性推定手段によって推定された属性に応じて前記音声信号の音量を周波数毎に補正する処理、又は、前記属性推定手段によって推定された属性に応じて前記音声信号のフォルマントを整形する処理、又は、前記属性推定手段によって推定された属性に応じて前記音声信号の話速を変換する処理、を含むことを特徴とする請求項１に記載の音声処理装置。
【請求項３】
前記人物までの距離を算出する距離算出手段を備え、
前記音声補正手段は、前記距離算出手段によって算出された距離に応じて前記音声信号の音量を補正する処理を行う
ことを特徴とする請求項１又は請求項２に記載の音声処理装置。
【請求項４】
前記音声補正手段は、処理前の音声信号の音量が大きいほどゲインを小さく設定して、前記音声信号の音量を前記ゲインに従って補正する処理を行うことを特徴とする請求項１から請求項３のいずれか１の項に記載の音声処理装置。
【発明の詳細な説明】
【技術分野】
【０００１】
本発明は音声処理装置に関する。
【背景技術】
【０００２】
従来、使用者の年齢情報を操作部から入力して、音声の周波数特性やレベルを使用者の年齢層による聴力の劣化に合わせて補正する音声補正装置が知られている（特許文献１参照）。
【先行技術文献】
【特許文献】
【０００３】
【特許文献１】特許第３２３６２６８号公報
【発明の概要】
【発明が解決しようとする課題】
【０００４】
しかしながら、上記の従来の音声補正装置では、使用者自らが操作部を用いて自分の年齢情報を入力する必要があった。そのため、使用者が異なった場合に、自動的に最適な音声の補正を行うことが不可能であった。
【０００５】
本発明は上記の点に鑑みてなされたものであり、その目的は、使用者に応じて自動的に最適な音声の補正を行うことが可能な音声処理装置を提供することにある。
【課題を解決するための手段】
【０００６】
本発明は上記の課題を解決するためになされたものであり、本発明に係る音声処理装置は、撮影手段によって撮影された人物の画像に基づいて該人物の年齢、又は、年齢及び性別に関する属性を推定する属性推定手段と、前記属性推定手段によって推定された属性に応じた聴覚補償処理を音声信号に施す音声補正手段と、を備えることを特徴とする。
【０００７】
この構成によれば、人物を撮影して得られた画像からその人物の年齢や性別を推定し聴覚補償処理を行うので、使用者自らが年齢情報等を入力することなく、その人物の属性に合った適切な音声の補正を実施することができる。
【０００８】
また、本発明は、上記の音声処理装置において、前記聴覚補償処理は、前記属性推定手段によって推定された属性に応じて前記音声信号の音量を周波数毎に補正する処理、又は、前記属性推定手段によって推定された属性に応じて前記音声信号のフォルマントを整形する処理、又は、前記属性推定手段によって推定された属性に応じて前記音声信号の話速を変換する処理、を含むことを特徴とする。
【０００９】
この構成によれば、周波数毎に音量を変更するので、使用者にとって聴き取りやすい音声を作り出すことができる。例えば高音の音量をより大きくすることで、高齢者が聴き取りにくい高音を聴き取りやすい音声とすることができる。また、この構成によれば、音声信号のフォルマントを整形することによって音質が改善されるので、使用者にとって聴き取りやすい音声を作り出すことができる。また、この構成によれば、話速変換をするので、音声を使用者にとって聴き取りやすいスピードにすることができる。
【００１０】
また、本発明は、上記の音声処理装置において、前記人物までの距離を算出する距離算出手段を備え、前記音声補正手段は、前記距離算出手段によって算出された距離に応じて前記音声信号の音量を補正する処理を行うことを特徴とする。
【００１１】
この構成によれば、人物との距離を考慮して音量を補正するので、使用者が近くにいるか遠くにいるかに応じてより適切な音声の補正を実施することができる。
【００１２】
また、本発明は、上記の音声処理装置において、前記音声補正手段は、処理前の音声信号の音量が大きいほどゲインを小さく設定して、前記音声信号の音量を前記ゲインに従って補正する処理を行うことを特徴とする。
【００１３】
この構成によれば、処理前の音声信号の音量が大きい場合には小さいゲインで音量を増大させる処理を行うので、過大な音量で音声が出力されてしまうことを防ぐことができ、補正後の音声を快適なものとすることができる。
【発明の効果】
【００１４】
本発明によれば、使用者に応じて自動的に最適な音声の補正を行うことが可能である。
【図面の簡単な説明】
【００１５】
【図１】本発明の第１の実施形態による音声処理装置の構成を示す機能ブロック図である。
【図２】補正量記憶部２０４が記憶している補正量のデータの一例である。
【図３】本発明の第２の実施形態による音声処理装置の構成を示す機能ブロック図である。
【図４】本発明の第３の実施形態における補正量Ｇ（ｆ）の決定方法を説明する図である。
【図５】フォルマント整形処理を説明する図である。
【発明を実施するための形態】
【００１６】
以下、図面を参照しながら本発明の実施形態について詳しく説明する。
（第１の実施形態）
図１は、本発明の第１の実施形態による音声処理装置の構成を示す機能ブロック図である。同図において、音声処理装置は、属性推定部１０と音声補正部２０を含んで構成される。属性推定部１０は、年齢推定部１０１及び性別推定部１０２から構成され、音声補正部２０は、フーリエ変換部２０１、スペクトル補正部２０２、補正量決定部２０３、補正量記憶部２０４、及び逆フーリエ変換部２０５から構成される。
【００１７】
この音声処理装置は、例えば、利用者の操作に応じ利用者に音声で各種の案内を行う公共施設等の音声案内装置や、対話型ロボットなどに搭載される。これら音声案内装置及びロボットには、撮像部５０が設けられている。
【００１８】
撮像部５０は、撮像部５０の前にいる利用者の顔を撮影して、撮影により得られた利用者の顔の画像データを音声処理装置の属性推定部１０へ出力する。撮影は、静止画撮影、動画撮影のいずれでもよい。静止画撮影の場合、例えば、所定の時間間隔（例えば１秒おき）で自動で撮影を行って、得られた画像に人物の顔が含まれるか否かを画像処理により判定する方法や、利用者が能動的に所定のボタン（例えば、音声案内装置の利用開始ボタン）を操作することにより撮影を行うといった方法を用いることで、利用者の顔の画像データを得ることができる。また、動画撮影の場合、得られた動画像から同様に画像処理によって人物の顔が含まれるフレームを切り出すようにすればよい。
【００１９】
属性推定部１０は、撮像部５０から入力された利用者の顔の画像データから、その利用者の年齢及び性別についての属性を推定する。具体的には、属性推定部１０は、上記の画像データに基づいて、年齢推定部１０１により当該利用者の年齢を推定するとともに、性別推定部１０２により当該利用者の性別を推定する。人の聴力は年齢や性別によって差があるので、これら推定された年齢及び性別の属性は、画像データの人物の聴力を示す指標として利用することが可能である。
【００２０】
年齢推定部１０１は、図示しない所定のデータベースを参照することにより、入力された利用者の顔の画像データに基づいて当該画像データの人物の年齢、或いはある年齢の幅をもった年代（例えば、６０歳代や６０歳代後半等）を推定する。また、性別推定部１０２は、同様に、図示しない所定のデータベースを参照することにより、入力された利用者の顔の画像データに基づいて当該画像データの人物の性別を推定する。年齢推定部１０１と性別推定部１０２の機能を明確に分けず、入力された利用者の画像データに基づきデータベースを参照して年齢と性別とを同時に推定する構成としてもよい。
【００２１】
上記所定のデータベースには、性別毎及び年齢毎（或いは年代毎）の平均的な顔の画像データが記憶されている。例えば、６０歳代の男性の平均的な顔の画像データＤ１、６０歳代の女性の平均的な顔の画像データＤ２、７０歳代の男性の平均的な顔の画像データＤ３、７０歳代の女性の平均的な顔の画像データＤ４、…といった具合である。このデータベースは、予め多数の顔画像のサンプルを例えば平均化するなどの方法を用いて構築されたものである。年齢推定部１０１及び性別推定部１０２は、データベースに記憶されているこれら複数の画像データと、入力された利用者の画像データとを照合して、データベースの複数の画像データから入力画像データと最も類似した画像データを選択し、選択した画像データが示す年齢（年代）と性別を、年齢（年代）と性別の推定結果とする。例えば、上記の画像データＤ１が選択されたとすると、推定結果は「年齢＝６０歳代、性別＝男性」となる。
【００２２】
なお、年齢推定部１０１と性別推定部１０２による年齢及び性別の推定において、上記のように性別毎及び年齢毎の平均的な顔の画像データと照合する方法に代えて、例えば、顔のシワの数や密度といった年齢と性別に特有な顔の特徴パラメータを年齢及び性別毎に数値化してデータベース化しておき、入力画像データから同じ様にして抽出した特徴パラメータの値をそのデータベースと比較することにより、年齢と性別を決定する方法を用いてもよい。また、顔ではなく、髪の色や量、あるいは容姿全体（姿勢など）などを画像データから割り出して、これらに基づいて年齢や性別を推定するようにしてもよい。
【００２３】
属性推定部１０は、こうして得られた利用者の年齢と性別の推定結果を音声補正部２０へ出力する。このように、画像データによって利用者の年齢と性別の属性を推定しているので、これらの属性を利用者が入力する手間を省略することができる。
【００２４】
音声補正部２０は、属性推定部１０から入力された利用者の年齢と性別の推定結果に従って、入力音声信号に利用者に応じた聴覚補償処理を施す。入力音声信号は、例えば、本音声処理装置が搭載された音声案内装置（や対話型ロボット）によって当該利用者に案内すべき音声であり、音声案内装置（や対話型ロボット）の所定のブロックから音声補正部２０へ供給される。音声補正部２０による聴覚補償処理は、入力音声の音量を周波数毎に補正する処理であり、その補正量は、利用者の年齢と性別に応じた補正量とする（後述の図２を参照）。上述したように、年齢及び性別は利用者の聴力を表す指標であるため、この聴覚補償処理によって、入力音声信号を利用者に応じた最適な音声に補正することができる。
【００２５】
補正量記憶部２０４は、入力音声の音量を補正する際の補正量（ゲイン）を利用者の年齢毎（或いは年代毎）及び性別毎に記憶している。補正量は、入力音声信号の代表周波数ｆ１，ｆ２，ｆ３，…における音圧レベルをそれぞれどれだけ増加させるかを指定する値Ｇ（ｆ１），Ｇ（ｆ２），Ｇ（ｆ３），…である。図２に、補正量記憶部２０４が記憶している補正量のデータの一例を示す。補正量の単位はデシベルである。
【００２６】
図２は、例えば、利用者が６０歳代の男性であった場合、入力音声の音量を補正する処理として、ｆ１＝１２５Ｈｚの音圧レベルをＧ（ｆ１）＝５デシベル増加させ、ｆ２＝２５０Ｈｚの音圧レベルをＧ（ｆ２）＝５デシベル増加させ、ｆ３＝５００Ｈｚの音圧レベルをＧ（ｆ３）＝６デシベル増加させ、ｆ４＝１０００Ｈｚの音圧レベルをＧ（ｆ４）＝７デシベル増加させ、ｆ５＝１５００Ｈｚの音圧レベルをＧ（ｆ５）＝１０デシベル増加させ、ｆ６＝２０００Ｈｚの音圧レベルをＧ（ｆ６）＝１２デシベル増加させ、ｆ７＝３０００Ｈｚの音圧レベルをＧ（ｆ７）＝２０デシベル増加させ、ｆ８＝４０００Ｈｚの音圧レベルをＧ（ｆ８）＝２８デシベル増加させ、ｆ９＝６０００Ｈｚの音圧レベルをＧ（ｆ９）＝３２デシベル増加させ、ｆ１０＝８０００Ｈｚの音圧レベルをＧ（ｆ１０）＝３９デシベル増加させる処理を行うことを表している。
【００２７】
なお、図２の補正量のデータは、例えば、予め多くの人の聴力を測定して、その測定結果を基に作成しておくものとする。具体的には、年代毎、性別毎に聴力測定をして最小可聴閾値（被験者が聴き取れる最小の音圧レベル）の統計をとり、最小可聴閾値が大きい周波数の補正量は大きく、最小可聴閾値が小さい周波数の補正量は小さく設定する。最小可聴閾値は加齢によって変化し、性別でも異なるので、図２のように年代及び性別毎の補正量のデータを得ることができる。また、図２の補正量の値は、年代が高く且つ周波数が高いほど大きな値となっているが、これは、高齢者は低音に比べて高音が聴き取りにくく、高音ほど最小可聴閾値が大きいからである。このため、高い年代では、高い周波数の音圧レベルを低い周波数よりも大きく増加させるような聴覚補償処理を行うことが必要となる。
【００２８】
補正量決定部２０３は、属性推定部１０から利用者の年齢及び性別の推定結果を取得し、その推定結果の年齢と性別に対応する補正量のデータＧ（ｆ１），Ｇ（ｆ２），Ｇ（ｆ３），…（即ち、図２の１列分のデータ）を補正量記憶部２０４から取得する。更に、補正量決定部２０３は、得られた補正量のデータを補間して、音声の周波数帯域内における任意の周波数ｆについての補正量Ｇ（ｆ）を求め、求めた補正量Ｇ（ｆ）をスペクトル補正部２０２へ指示する。
【００２９】
一方、聴覚補償処理の対象である音声信号は、フーリエ変換部２０１に入力される。フーリエ変換部２０１は、入力された時間領域の音声信号をフーリエ変換することにより周波数領域の音声信号Ｓ（ｆ）を求め、この周波数領域の音声信号Ｓ（ｆ）をスペクトル補正部２０２へ出力する。
【００３０】
スペクトル補正部２０２は、フーリエ変換部２０１から入力された周波数領域の音声信号Ｓ（ｆ）に対して、補正量決定部２０３により指示された補正量Ｇ（ｆ）に従ってスペクトルの補正を行い、スペクトル補正後の音声信号Ｓ’（ｆ）を逆フーリエ変換部２０５へ出力する。スペクトルの補正は、例えば、任意の周波数ｆにおける入力音声信号の音圧レベルＳ（ｆ）を補正量Ｇ（ｆ）の分だけ増加させる（補正量Ｇ（ｆ）のゲインを与える）処理とする。この場合、入力音声信号のスペクトルは、Ｓ（ｆ）からＳ（ｆ）＋Ｇ（ｆ）へ変化し、スペクトル補正後の音声信号は、Ｓ’（ｆ）＝Ｓ（ｆ）＋Ｇ（ｆ）となる（但し、Ｓ，Ｓ’，Ｇはいずれも対数表示とする）。このように、年齢毎及び性別毎の補正量Ｇ（ｆ）を用いることにより、利用者の年齢と性別に応じて、入力音声の音量（音圧レベル）が周波数毎に補正される。
【００３１】
逆フーリエ変換部２０５は、スペクトル補正部２０２によってスペクトルが補正された周波数領域の音声信号Ｓ’（ｆ）を逆フーリエ変換することにより時間領域の音声信号を求め、求めた時間領域の音声信号を音声補正部２０の出力音声信号として出力する。
【００３２】
以上説明したように、本実施形態の音声処理装置によれば、撮像部５０の前に利用者がいる場合に、撮像部５０によって撮影された利用者の画像データに基づいて当該利用者の年齢と性別が推定され、求められた年齢及び性別に応じて、音声の音量が周波数毎に補正される。したがって、利用者が年齢等の情報を入力する操作を行うことなく、自動的に、利用者に応じた聴覚補償処理を音声に施すことができる。
【００３３】
（第２の実施形態）
図３は、本発明の第２の実施形態による音声処理装置の構成を示す機能ブロック図である。同図において、音声処理装置は、あらたに距離算出部３０を備えている。本実施形態は、補正量決定部２０３が距離算出部３０の出力をも考慮して補正量を決定するという内容を第１の実施形態に追加したものである。
【００３４】
距離算出部３０は、撮像部５０から利用者の顔が含まれた画像データを取得し、その画像内における顔の大きさに基づき撮像部５０と当該利用者の距離を算出して、得られた距離の値ｄを補正量決定部２０３へ出力する。撮像部５０と利用者の距離ｄは、画像内における顔の大きさから撮像部５０が利用者の顔を見込む見込み角φを求め、この見込み角φと人の顔の実際の大きさとして想定される値ｈとから、ｄ＝ｈ／ｔａｎφ≒ｈ／φの関係により求めることができる。なお、距離算出部３０は、これ以外の方法を用いて利用者との距離を算出するものであってもよい。例えば、超音波を照射して利用者からの反射波を受信するまでの時間を計測することで、利用者との距離を算出することができる。
【００３５】
補正量決定部２０３は、第１の実施形態において求めた補正量Ｇ（ｆ）を、距離算出部３０が算出した距離ｄに応じて変化させ、変化後の補正量Ｇ’（ｆ）をスペクトル補正部２０２へ指示する。なお、補正量Ｇ（ｆ）をＧ’（ｆ）に変化させる際の変化量は、周波数によらない一定値でよい。スペクトル補正部２０２は、この補正量Ｇ’（ｆ）に従って、第１の実施形態と同様に音声信号Ｓ（ｆ）に対するスペクトルの補正を行う。
【００３６】
補正量Ｇ’（ｆ）は、利用者と撮像部５０の距離が離れている場合にその値が大きくなるようにし、利用者と撮像部５０の距離が近い場合はその値が小さくなるようにする。こうすることで、利用者が遠くにいるときは音声の音量がより大きくなる補正が行われ、反対に利用者が近くにいるときは音声の音量がより小さくなる補正が行われることになる。
【００３７】
例えば、音源から発せられた音が利用者の耳に届いたとき、利用者の位置における音の音圧レベルは音源と利用者との距離の２乗に反比例する（距離が２倍になると音圧レベルは６デシベル下がる）ので、補正量Ｇ’（ｆ）を
Ｇ’（ｆ）＝Ｇ（ｆ）＋６・ｌｏｇ２（ｄ／ｄ０）
とする。但し、ｄ０はある所定の基準値である。この場合、利用者と撮像部５０の距離がｄ＝２・ｄ０のときＧ’（ｆ）＝Ｇ（ｆ）＋６、ｄ＝４・ｄ０のときＧ’（ｆ）＝Ｇ（ｆ）＋１２、ｄ＝８・ｄ０のときＧ’（ｆ）＝Ｇ（ｆ）＋１８、ｄ＝ｄ０／２のときＧ’（ｆ）＝Ｇ（ｆ）−６、…のようになるので、距離の２乗に反比例して変化する音圧レベルがちょうど補償されて、利用者と撮像部５０の距離によらず、利用者の位置での音圧レベルを常に一定にすることができる。
【００３８】
このように、本実施形態の音声処理装置によれば、距離算出部３０によって算出された利用者との距離に応じて、自動的に、音声の音量を適切に補正することができる。
【００３９】
（第３の実施形態）
本実施形態では、出力音声の音量が過大になってしまうことを防止するために、入力音声の音量が大きいほど補正量Ｇ（ｆ）を小さくする。図４を参照して、補正量Ｇ（ｆ）の決定方法を説明する。
【００４０】
補正量決定部２０３は、まず、第１の実施形態と同様に、補正量記憶部２０４から利用者の年齢と性別に対応する補正量のデータＧ（ｆ１）を取得する。また、補正量決定部２０３は、入力音声信号の周波数ｆ１における音圧レベルの値Ｓ（ｆ１）をフーリエ変換部２０１から取得する。補正量決定部２０３は、取得した補正量のデータＧ（ｆ１）と音圧レベルの値Ｓ（ｆ１）から、次式
Ｇ’（ｆ１）＝Ｇ（ｆ１）
（０≦Ｓ（ｆ１）＜Ｌｍｉｎのとき）
Ｇ’（ｆ１）＝Ｇ（ｆ１）・α（Ｓ（ｆ１））
（Ｌｍｉｎ≦Ｓ（ｆ１）＜Ｌｔｈのとき）
Ｇ’（ｆ１）＝Ｌｔｈ−Ｓ（ｆ１）
（Ｓ（ｆ１）≧Ｌｔｈのとき）
を用いて修正した補正量Ｇ’（ｆ１）を計算する。但し、α（Ｌ）は単調減少する入力音圧レベルＬの関数であって、０≦α（Ｌ）≦１及びα（Ｌｍｉｎ）＝１及びα（Ｌｔｈ）＝０であるとする。また、Ｌｔｈは、音が大きすぎることによる不快感を聴者が覚えることのない、最大の音圧レベルを表す。また、Ｌｍｉｎは、Ｌｔｈより小さい任意の値であり、例えば、最小可聴閾値（被験者が聴き取れる最小の音圧レベル）である。
【００４１】
このような修正補正量Ｇ’（ｆ１）のゲインを入力音声に与えた場合、周波数ｆ１の音圧レベルは、図４（Ａ）に示すように、入力音圧レベルＳ（ｆ１）が大きくなるにつれて小さなゲイン（Ｇ’（ｆ１））でその値が増加していき、入力音圧レベルＳ（ｆ１）が最大音圧レベルＬｔｈを超えると一定値Ｌｔｈをとることとなる。そのため、出力音圧レベルが最大音圧レベルＬｔｈより大きくなることはなく、過大音による不快感を聴者に感じさせてしまうことを避けることができる。
【００４２】
なお、第１の実施形態における補正量Ｇ（ｆ１）は、入力音声の音量によらない一定値であるため、この補正量Ｇ（ｆ１）のゲインを入力音声に与えると、図４（Ｂ）に示すように、大きな入力音圧レベルに対して出力音圧レベルが最大音圧レベルＬｔｈを超えることになる。このように、本（第３の）実施形態は、音の聴き取りやすさの点で第１の実施形態より優れている。
【００４３】
補正量決定部２０３は、続いて、他の周波数に対応する修正補正量Ｇ’（ｆ２），Ｇ’（ｆ３），…を同様にして計算する。このとき、関数α（Ｌ）は各周波数で異なっていてもよい。補正量決定部２０３は、こうして得られた修正補正量のデータＧ’（ｆ１），Ｇ’（ｆ２），Ｇ’（ｆ３），…を第１の実施形態と同様に補間して、音声の周波数帯域内における任意の周波数ｆについての修正補正量Ｇ’（ｆ）を求める。以上により求められた修正補正量Ｇ’（ｆ）に従って、第１の実施形態と同様、スペクトル補正部２０２による音声信号Ｓ（ｆ）のスペクトル補正が行われる。
【００４４】
このように、本実施形態の音声処理装置によれば、出力音声の音量が過大になってしまうことを防止することができる。
【００４５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００４６】
例えば、上述したスペクトル補正部２０２に代えて、フーリエ変換部２０１から入力された音声信号Ｓ（ｆ）のフォルマントを整形するフォルマント整形部を設けた構成としてもよい。ここで、フォルマントの整形とは、図５に示すように、入力音声信号Ｓ（ｆ）の第１フォルマント，第２フォルマント，第３フォルマント，…の各周波数（Ｆ１，Ｆ２，Ｆ３，…）における音圧レベルを増加させるとともに、第１フォルマントと第２フォルマントの間，第２フォルマントと第３フォルマントの間，…の音圧レベルが落ち込んでいる各周波数における音圧レベルを減少させる処理のことである。この処理により、各フォルマントが強調されるため、音声を明瞭にすることができる。例えば、利用者の年齢が高い場合にフォルマント整形処理を行い、年齢が低い場合はフォルマント整形処理を行わないようにしたり、利用者の年齢が高いほどフォルマント整形の度合い（音圧レベルの増減量）を大きくしたりする。こうすることで、利用者に応じた聴覚補償処理を音声に施すことができる。
【００４７】
また、スペクトル補正部２０２の代わりに、入力音声の話速変換をする話速変換部を設けた構成としてもよい。例えば、利用者の年齢に応じて、変換後の話速を変えたり、話速変換処理の実施と停止を切り替えたりする。これにより、利用者に応じた聴覚補償処理を音声に施すことができる。
【００４８】
また、フーリエ変換部２０１に代えて、フィルタバンクを用いてもよい。フィルタバンクは、入力音声信号から所定の周波数帯域毎の音声信号を生成する。この場合、スペクトル補正部２０２は、この周波数帯域毎の音声信号に、補正量決定部２０３により指示された補正量でスペクトルの補正を行えばよい。
また、フーリエ変換に代えて、コサイン変換やウェーブレット変換を用いてもよい。
また、音声補正部２０は、年齢推定部１０１によって推定された利用者の年齢のみに応じて聴覚補償処理を行ってもよい。
また、第２の実施形態と第３の実施形態を組み合わせてもよい。
【符号の説明】
【００４９】
１０…属性推定部  １０１…年齢推定部  １０２…性別推定部  ２０…音声補正部  ２０１…フーリエ変換部  ２０２…スペクトル補正部  ２０３…補正量決定部  ２０４…補正量記憶部  ２０５…逆フーリエ変換部  ３０…距離算出部  ５０…撮像部
【図１】
2010239542.tif 000003
【図２】
2010239542.tif 000004
【図３】
2010239542.tif 000005
【図４】
2010239542.tif 000006
【図５】
2010239542.tif 000007